(57)【特許請求の範囲】
【請求項１】
コンクリートを注入する空間を形成するコンクリート型枠の外側に取り付けられる支持フレームにおいて、
前記支持フレームは、前記コンクリート型枠に取り付けられる垂直材と、当該垂直材の上部、中間部、下部の内、前記中間部に、当該垂直材を基端として水平方向へと途中に可動連結部分を有すること無く伸びている一連の梁材と、前記梁材の遠位端と前記垂直材の上部及び下部の位置とをそれぞれ連結する伸縮可能な可動連結部分を有する筋交い材と、を備えており、前記筋交い材の可動連結部分は前記空間にコンクリートを注入した際に生じるコンクリート型枠の膨らみ歪を打ち消す張力を予め与付可能で、前記梁材は、当該梁材の遠位端に支柱を取り付ける部品を有しており、前記枠組み足場の作業用足場として使う棚板が直接載置できることを特徴とする、コンクリート型枠用の支持フレーム。
【請求項２】
前記筋交い材は、ターンバックルによって長さ調節可能な可動連結部分を有している、請求項１に記載のコンクリート型枠用の支持フレーム。
【請求項３】
コンクリートを注入する空間を形成するコンクリート型枠の外側に取り付けられる支持フレームを用いた枠組み足場において、
前記支持フレームは、前記コンクリート型枠に取り付けられている垂直材と、当該垂直材の上部、中間部、下部の内、前記中間部に、当該垂直材を基端として水平方向へと途中に可動連結部分を有すること無く伸びている一連の梁材と、前記梁材の遠位端と前記垂直材の上部及び下部の位置とをそれぞれ連結する長さ調節可能な可動連結部分を有している筋交い材と、を備えており、前記筋交い材の可動連結部分は前記空間にコンクリートを注入した際に生じるコンクリート型枠の膨らみ歪を打ち消す張力が予め付与されており、前記梁材は、当該梁材の遠位端に支柱が取り付けられており、
前記垂直材及び支柱を柱とし、作業用足場として使う棚板を前記梁材に直接支持させていることを特徴とする、枠組み足場。
【請求項４】
前記筋交い材は、ターンバックルによって長さ調節可能な可動連結部分を有している、請求項３に記載の枠組み足場。
【発明の詳細な説明】
【技術分野】
【０００１】
本発明は、コンクリートを成型する際に用いる型枠用の支持フレーム及び当該支持フレームを用いた枠組み足場に関する。
【背景技術】
【０００２】
図１０（ａ）に示すように、コンクリート構造物の成型は、組となるコンクリート型枠（成型後に取り除く型枠で、バタ材と呼ばれている）１を向かい合わせに設置し、その間にできる空間にコンクリート７００を注入することによって行う。この場合、コンクリート型枠に、注入したコンクリート７００の内側から外側へと向かう圧力がかかり、図１０（ｂ）に理解の便のために誇張表示して示すように、型枠に膨らみ歪が生じる。
【０００３】
従来、コンクリート型枠に所望しない膨らみ歪みが生じないように、図１０（ｃ）に示すように、型枠を撓ませることができるように堅固に取り付けられており、予め逆方向に型枠を反らせておく支持フレーム５００が提案されている（特許文献１を参照）。この支持フレーム５００を用いれば、図１０（ｄ）に示すように、膨らみ歪の無いすっきりとしたコンクリート構造物を成型することが可能になる。
【先行技術文献】
【特許文献】
【０００４】
【特許文献１】実用新案登録第３２１７０６３号公報
【発明の概要】
【発明が解決しようとする課題】
【０００５】
コンクリート型枠１は、例えば６０００ｍｍ程の高さのものがあり、種々の作業を円滑に行うため、型枠に沿うように枠組み足場を建設する必要がある。特許文献１に開示する支持フレーム５００において、図１０(ｄ)に示すように、型枠から垂直方向に伸びる梁材５０１は、型枠を逆方向に反らせるための伸縮機能が与えられている関係上、可動連結部分を有しており、天地方向の加重に耐えられる構造にはなっていなかった。このため、図１１に示すように、支持フレームとは全く別に、コンクリート型枠１の隣に枠組み足場６００を組み建てる必要があった。枠組み足場６００において、作業用棚板６０１は、支持フレーム５００の梁材５０１に何らの力を加えないように、完全に分離した形で設けられている。
【０００６】
本発明は、従来の支持フレームの課題を解決し、枠組み足場の一部に使える支持フレーム、当該支持フレームを用いた枠組み足場を提供することを目的とする。
【課題を解決するための手段】
【０００７】
上記目的を達成するために本発明は、コンクリートを注入する空間を形成するコンクリート型枠の外側に取り付けられる支持フレームにおいて、前記支持フレームは、前記コンクリート型枠に取り付けられる垂直材と、当該垂直材の上部、中間部、下部の内、前記中間部に、当該垂直材を基端として水平方向へと途中に可動連結部分を有すること無く伸びている一連の梁材と、前記梁材の遠位端と前記垂直材の上部及び下部の位置とをそれぞれ連結する伸縮可能な可動連結部分を有する筋交い材と、を備えており、前記筋交い材の可動連結部分は前記空間にコンクリートを注入した際に生じるコンクリート型枠の膨らみ歪を打ち消す張力を予め与付可能で、前記梁材は、当該梁材の遠位端に支柱を取り付ける部品を有しており、前記枠組み足場の作業用足場として使う棚板が直接載置できることを特徴とする。
【０００８】
なお、前記筋交い材は、ターンバックルによって長さ調節可能になっているのが好ましい。
【０００９】
また、本発明のコンクリートを注入する空間を形成するコンクリート型枠の外側に取り付けられる支持フレームを用いた枠組み足場において、前記支持フレームは、前記コンクリート型枠に取り付けられている垂直材と、当該垂直材の上部、中間部、下部の内、前記中間部に、当該垂直材を基端として水平方向へと途中に可動連結部分を有すること無く伸びている一連の梁材と、前記梁材の遠位端と前記垂直材の上部及び下部の位置とをそれぞれ連結する長さ調節可能な可動連結部分を有している筋交い材と、を備えており、前記筋交い材の可動連結部分は前記空間にコンクリートを注入した際に生じるコンクリート型枠の膨らみ歪を打ち消す張力が予め付与されており、前記梁材は、当該梁材の遠位端に支柱が取り付けられており、前記垂直材及び支柱を柱とし、作業用足場として使う棚板を前記梁材に直接支持させていることを特徴とする。
【００１０】
前記筋交い材は、ターンバックルによって長さ調節可能になっていることが好ましい。
【発明の効果】
【００１１】
本発明によれば、支持フレームの梁材は、途中に可動連結部分を有すること無く伸びているので、作業用足場として使う棚板を直接支持可能で、枠組み足場の一部として共有することができる。
【図面の簡単な説明】
【００１２】
【図１】本発明の一実施の形態に係るコンクリート型枠用の支持フレームの（ａ）は左側面図、（ｂ）は正面図、（ｃ）は右側面図。
【図２】同支持フレームをコンクリート型枠に間隔を開けて複数取り付け、当該支持フレームの中間部に取り付けられている一部の梁材の上に、作業用足場として使う棚板を、直接載せている状態を示す。
【図３】図２に示した全ての梁材の上に、作業用足場として使う棚板を、直接載せ終えた状態を示す。
【図４】梁材の（ａ）は側面図、（ｂ）は上から見た図、（ｃ）は、(ｂ)に示すＡ−Ａ断面図。
【図５】（ａ）は、図１（ａ）に示す支持フレームにおいて点線で囲むエリアαの拡大図、（ｂ）はＢ矢視図、（ｃ）はＣ−Ｃ断面図。
【図６】（ａ）は、図１（ａ）に示す支持フレームにおいて点線で囲むエリアβの拡大図、（ｂ）はＤ矢視図、（ｃ）はＥ−Ｅ断面図。
【図７】（ａ）は伸縮可能な筋交い材の側面図、（ｂ）はＦ矢視図。
【図８】（ａ）は、図1に示した支持フレームを用いた２つのコンクリート型枠を設置した状態を示し、（ｂ）は、支持フレームをリフトアップして、コンクリートを積み重ねて成型を行う様子を示す図。
【図９】支持フレーム１００の変形例１５０を示す。
【図１０】従来のコンクリート型枠用の支持フレームの機能及び課題を説明する図で、（ａ）は支持フレームの無いコンクリート型枠、（ｂ）は（ａ）の型枠を使用した時に現れる枠の膨らみ歪を誇張表示し、（ｃ）は(ｂ)に示した膨らみ歪分を予め逆方向に歪ませておく従来の支持フレーム取り付け時の図、（ｄ）は（ｃ）に示した型枠を使用した時のコンクリート成型物の様子を示す。
【図１１】図１０に示した従来の支持フレームをコンクリート型枠に間隔を開けて複数取り付けた後、この支持フレームの梁材とは完全に別に建設した作業用足場を示す。
【発明を実施するための形態】
【００１３】
本発明に係るコンクリート型枠用の支持フレームは、コンクリートを注入する空間を形成するコンクリート型枠の外側に取り付けられる。支持フレームは、コンクリート型枠に取り付けられる垂直材と、梁材と、筋交い材とで構成されている。梁材は、垂直材の上部、中間部、下部の内、中間部に、垂直材を基端として水平方向へと途中に可動連結部分を有すること無く一続きに伸びており、遠位端に枠組み足場の支柱が取り付けられる。筋交い材は、梁材の遠位端と垂直材の上部及び下部の位置とをそれぞれ連結しており、長さ調節可能な可動連結部分を有している。筋交い材は、可動連結部分によって、前記空間にコンクリートを注入した際に生じるコンクリート型枠の膨らみ歪を打ち消す張力が当該型枠に予め付与可能となっている。この支持フレームを用いる枠組み足場は、垂直材及び支柱を柱とし、作業用足場として使う棚板を梁材に直接支持させて構成する。
途中に可動連結部分を有すること無く伸びている梁材を用いることで、垂直方向からの力に対する耐性が比較的高くなり、枠組み足場の作業用の棚板を直接載せて支持することができる。即ち、支持フレームは、枠組み足場の一部として共有できるので、作業現場で必要となる部品数を少なくできる、という利点を有している。
【００１４】
以下、添付の図面を参照しつつ、本発明の支持フレーム１００と、それをコンクリート型枠に複数並べて取り付け、取り付けた支持フレームを一部に用いる枠組み足場２００について説明する。
【００１５】
図１は、一例として、幅１８００ｍｍ×高さ５４００ｍｍのコンクリート型枠１に、支持フレーム１００を間隔を開けて２つ取り付け、更に、この支持フレーム１００に、枠組み足場２００の支柱２０１を取り付けた場合を示す。本実施形態において、このサイズのコンクリート型枠１を１ユニットとして取り扱う。実際のコンクリート型枠の成型時は、コンクリート型枠１を複数並べ、更に、必要に応じて対向する側にも、複数並べ、コンクリートを注入する空間を形成する。この空間は、例えば、円柱、角柱等のコンクリート成型物を造る場合には、上部に開口を有する容器状に形成され、建物のコンクリート壁面を成型する場合には、その壁厚に応じた間隔を開けて向い合わせにコンクリート型枠を並べた2重構造になるように形成される。図１（ａ）は、支持フレーム１００を取り付けたコンクリート型枠１の左側面図、（ｂ）は正面図、（ｃ）は右側面を示す。
【００１６】
支持フレーム１００は、コンクリート型枠１に、当該型枠１を膨らみ歪を打ち消す向きに撓ませられるように堅固に、例えば多数のボルトで取り付けられている垂直材１０１と、梁材１０２と、筋交い材１０３、１０４とで構成されている。梁材１０２は、垂直材１０１の上部、中間部、下部の内、中間部に、垂直材１０１を基端として水平方向へと途中に可動連結部分を有すること無く伸びている。筋交い材１０３、１０４は、梁材１０２の遠位端と垂直材１０１の上部及び下部の位置とをそれぞれ連結する長さ調節可能な可動連結部分を有している。支持フレーム１００において、梁材１０２の位置を中間部といい、それより上の筋交い材１０３のある部分を上部、それより下の筋交い材１０４のある部分を下部という。筋交い材１０３、１０４には、コンクリートを注入した際に生じるコンクリート型枠の膨らみ歪を打ち消す張力が予め与えられている。一例として、コンクリート型枠１を約６ｍｍ、想定される膨らみ歪を打ち消す側に撓ませる張力が与えられる。梁材１０２の遠位端には、枠組み足場２００の支柱２０１が取り付けられている。また、垂直材１０１の上部には、梁材１０２と同じ構成の梁材２０２が設けらている。筋交い材１０３の端部は、垂直材の１０１の上部に、梁材２０２を介して連結されており、筋交い材１０４の端部は、垂直材１０１の下部に、一般的な連結具で連結されている。
【００１７】
梁材１０２、２０２は、例えば、ターンバックルのような長さ調節可能とする可動連結部分を有すること無く一連の鋼材で形成されている。この「途中に可動連結部分を有すること無く伸びている一連の梁材」として、梁材１０２、２０２は、仮に、２つの部材を連結して形成されているとしても、例えば溶接によって実質１つの構造物と扱えるようになっているものを含む。梁材１０２、２０２の上には、枠組み足場２００の作業用足場として使う棚板２０３、２０４が載置されている。
【００１８】
図２は、コンクリート型枠１を３ユニット横に並べ、間隔を開けて、向かい合う位置に、同様にコンクリート型枠１を３ユニット並べた図で、各コンクリート型枠１には、支持フレーム１００及び枠組み足場２００を取り付けた状態を示す。支持フレーム１００の梁材１０２、２０２の一部には、棚板２０３、２０４を載せている。なお、梁材２０２は、棚板２０４を載せて、枠組み足場２００の使用の便を向上させるために、支持フレーム１００にオプションで使用される。
【００１９】
図３は、梁材１０２、２０２の全てに、棚板２０３、２０４を載せた状態を示す。梁材１０２、２０２は、ターンバックル構造等の可動連結部分を有すること無く一連の鋼材で形成されているので、天地方向の力に対する耐性が高く、棚板を直接載せて使うことができる。
【００２０】
図４は、梁材１０２、２０２の構成を示し、（ａ）は図１（ａ）に示す向きから見た図で、（ｂ）は上から見た図、（ｃ）は図４(ｂ)に示す図のＡ−Ａ断面図を示す。梁材１０２、２０２は、同一の形状及び寸法で、２つのＣ形鋼１０２ａ、１０２ｂ、２０２ａ、２０２ｂを補強材１０２ｃ、２０２ｃを介することで間隔を開けて並べた形状を有する。一方の端には、垂直材１０１に締結するための４つのボルト孔１０２ｄ〜１０２ｇ、２０２ｄ〜２０２ｇを有する鋼板１０２ｈ、２０２ｈが溶接されている。他方の端には、枠組み足場２００の支柱２０１を把持するための部品１０２ｉ、２０２ｉの取り付けられた鋼板１０２ｊ、２０２ｊが溶接されている。部品１０２ｉ、２０２ｉは、鋼板１０２ｊ、２０２ｊに予め溶接されている場合の他、鋼板１０２ｊ、２０２ｊに取付用の孔等を設けておき、ねじ等で後から取り付ける場合を含む。梁材１０２、２０２の２つのＣ形鋼１０２ａ、１０２ｂ、２０２ａ、２０２ｂの両端近傍には、筋交い材１０３、１０４をとめるための４つの孔１０２ｋ、１０２ｍ、１０２ｎ、１０２ｐ、２０２ｋ、２０２ｍ、２０２ｎ、２０２ｐが設けられている。
【００２１】
図５（ａ）は、図１（ａ）に示す図において、点線で囲んだエリアαの拡大図を示す。エリアαは、梁材２０２と、垂直材１０１及び筋交い材１０３との連結部分を含む。図５（ｂ）は、図５（ａ）に示す図のＢ矢視図を示し、図５（ｃ）は、図５（ａ）に示す図のＣ−Ｃ断面図を示す。図５（ａ）に示すように、垂直材１０１には、上下方向に間隔を開けて横穴１０１ａが設けられており、この横穴１０１ａを通る鋼材１０１ｂが設けられている。鋼材１０１ｂには、図示しない、ボルト孔が開けられている。この鋼材１０１ｂのボルト孔と、梁材２０２のボルト孔２０２ｄ〜２０２ｇ（図４（ｃ）を参照）とを通るボルト１０１ｃが設けられており、梁材２０２は鋼材１０１ｂとの間に垂直材１０１を挟持する形で固定されている。梁材２０２を構成している２つのＣ形鋼２０２ａ、２０２ｂの孔２０２ｋ、２０２ｎには、筋交い材１０３の先端部に設けられている取り付け孔１０３ａを通るボルト２０２ｑが設けられている。
【００２２】
図６（ａ）は、図１（ａ）に示す図において、点線で囲んだエリアβの拡大図を示す。エリアβは、梁材１０２と、枠組み足場２００の支柱２０１との連結部分を含む。図６（ｂ）は図６（ａ）に示す図のＤ矢視図を示し、図６（ｃ）は、図６（ａ）に示す図のＥ−Ｅ断面図を示す。図６（ａ）に示すように、梁材１０２の鋼板１０２ｊに設けられている部品１０２ｉには、枠組み足場２００の支柱２０１が取り付けられている。梁材１０２のボルト孔１０２ｍ、１０２ｐには、筋交い材１０３、１０４の先端部に設けられている取り付け孔１０３ｂ、１０４ａを通るボルト２０２ｒが設けられている。
【００２３】
図７は、筋交い材１０３、１０４の構成を示す図で、図７（ａ）はその全体の内、両端の部分を特に分かり易く示し、図７（ｂ）は図７（ａ）に示す図のＦ矢視図を示す。筋交い材１０３、１０４の両端には、取り付け孔１０３ａ、１０３ｂ、１０４ａ、１０４ｂが設けられている。筋交い材１０３、１０４は、ターンバックル式の伸縮可能な可動連結部分を有しており、本体部分１０３ｃ、１０４ｃを回転させることで、伸縮可能になっている。詳しくは、本体部分１０３ｃ、１０４ｃと、両端の部品１０３ｄ、１０３ｅ、１０４ｄ、１０４ｅとが、図示するように、それぞれ逆向きのねじ切りのされているねじで連結されており、図示する両矢印１１０の向きに回転することで、伸縮可能になっている。筋交い材１０３、１０４の有している可動連結部分は、直交する向きから直接力が掛かると、連結部分のねじ山が欠ける虞があり、可動連結部分を有していない一連の構造物に比べて弱い構造となっている。しかし、支持フレーム１００において、筋交い材１０３、１０４は、垂直材１０１と支柱２０１との間の筋交い部分に、斜めに設けられおり、梁材１０２、２０２に載せる棚板２０３、２０４に人が乗っても、力の分散作用によって、その伸縮方向にのみ力が加わるので、高い耐性を示す。
【００２４】
筋交い材１０３、１０４は、コンクリート型枠で形成する空間に、コンクリートを注入した際に生じるコンクリート型枠の膨らみ歪を打ち消すように、コンクリート型枠を逆さに反らせる張力が与えられる。例えば、本体部分１０３ｃ、１０４ｃを回転し、高さ５４００ｍｍのコンクリート型枠１を、当該型枠１に想定される膨らみ歪を打ち消す側に、約６ｍｍ撓ませる。撓みの量は、計測器を用いて調べながら、調節しても良いが、例えば、本体部分１０３ｃ、１０４ｃと、両端の部品１０３ｄ、１０３ｅ、１０４ｄ、１０４ｅ、にそれぞれ目盛りＭ１（いくつかの印）、Ｍ２（三角矢印）を付しておき、「高さＨ＝５４００ｍｍの型枠の場合、目盛りはＭ１のｎ番目の印と、Ｍ２の三角矢印の位置とを合わせる（ｎはＨに対し一義的に決められる数）に合わせておけば、前記約６ｍｍの撓み設定することができる」という統計学上のデータを収集しておき、このデータに基づいて、目盛り設定を行うようにしても良い。
【００２５】
図８（ａ）は、図３に示したような、コンクリート型枠１で挟まれた空間に、コンクリートを流し込み、固めた状態を示し、図８（ｂ）は図８（ａ）で用いたコンクリート型枠１と、これに取り付けてある支持フレーム１００、枠組み足場２００を、そのままの状態で持ち上げ、下側に、別の枠組み足場３００を造った状態を示す。図８（ａ）に示すように、コンクリート型枠１の上下には、垂直材１０１を通るＪ字状のアンカー部品２、３、４、５がそれぞれ取り付けられている。図８において、説明の便宜のため、図に現れているアンカーを２、３、４、５と示す。アンカー部品２、３、４、５は、それぞれ同一の構造及び寸法で、コンクリート型枠１からコンクリートを流し込む空間内へと伸びているＪ字状の本体部分２ａ、３ａ、４ａ、５ａと、コンクリート型枠１から垂直材１０１を通るように伸び、本体部分２ａ、３ａ、４ａ、５ａとねじによって着脱可能となっている固定具２ｂ、３ｂ、４ｂ、５ｂと、で構成されている。図８（ａ）に示す状態で、コンクリートが固まって構造物８００となった後、固定具２ｂ、３ｂ、４ｂ、５ｂを取り外す。支持フレーム１００及び枠組み足場２００の取り付けられた状態のコンクリート型枠１を、クレーンを用いて持ち上げ、下側に、別の枠組み足場３００を造り、更に、その下側部分において、先に取り外した固定具２ｂ、３ｂを、垂直材１０１を介してＪ字状の本体部分４ａ、５ａに取り付け、コンクリート型枠１を固まったコンクリート構造物８００の上側に固定する。アンカー部品は、コンクリート型枠１の垂直材１０１の数だけ用意される。コンクリート型枠１の上側には、別のＪ字状の本体部分６ａ、７ａを取り付け、先に取り外した固定具４ｂ、５ｂを用いて垂直材１０１に固定しておく。アンカー部品２、３、４、５を用いることで、支持フレーム１００及び枠組み足場２００を含め、その上下方向の位置合せが容易になる。この工法を採用すれば、コンクリート型枠１の数倍の高さのコンクリート構造物を成型することができる。
【００２６】
上記構成の支持フレーム１００と、例えば、図１０、図１１に示す従来の支持フレーム５００を用いた場合について比較する。従来の支持フレーム５００を用いる場合、枠組み足場６００は完全に別に設けられるが、コンクリート型枠１の近くに足場を設ける必要があるため、支持フレーム５００内を縫うように棚板６０１が設けられていた。従来の支持フレーム５００を用いた場合は、枠組み足場６００を一度解体し、コンクリート型枠１をクレーンを用いて持ち上げた後に、下側と、更には、持ち上げたコンクリート型枠１近傍とに、枠組み足場を造る必要があった。前述するように、本実施形態の支持フレーム１００は、棚板を載せる梁材１０２、２０２を直接枠組み足場の骨組みとして使用できる。更に、支持フレーム１００は、梁材１０２、２０２を持ち上げる力を掛けても、筋交い材１０３、１０４には、力の分散作用で、その直交する向きには力が掛からず、耐性を示すので、枠組み足場２００を解体すること無く、そのままの状態でクレーンで持ち上げることができる。この結果、支持フレーム１００を用いれば、コンクリート構造物を積み重ねて成型する場合の工程を大幅に少なくでき、大幅な工期短縮に寄与することができる。
【００２７】
なお、本発明は、上記各種実施形態の構成に限られず、発明の趣旨を変更しない範囲で種々の変形が可能である。例えば、支持フレーム１００は、その中間位置に１つの梁材１０２しか有していないが、これに限定されない。例えば図９に示す支持フレーム４００のように、中間部に２つの梁材１０２、４０１を有する構成を採用しても良い。図９において、支持フレーム１００と同一の構成要素には同一の参照番号を付して表し、重複した説明は省く。支持フレーム４００では、梁材１０２から梁材４０１の間の部分を中間部といい、梁材１０２よりも上の筋交い材１０３のある部分を上部、梁材４０１よりも下の筋交い材１０４のある部分を下部という。梁材１０２、４０１は、可動連結部分の無い、棒状の部材４０３で連結されている。支持フレーム４００の場合においても、可動連結部分は、筋交い材１０３、１０４にしか設けられていない。梁材１０２、４０１に足場用の棚板２０３、４０２を設けても、強い耐性を示す。また、コンクリ―ト型枠１に取り付けた状態で、枠組み足場と共にクレーンで持ち上げることが可能である。
【産業上の利用可能性】
【００２８】
本発明の支持フレームは、規模の大小によらず、流し込む成型材の力によって外方に撓む虞のある型枠に用いることができる。
【符号の説明】
【００２９】
１              コンクリート型枠
１００、４００  支持フレーム
１０１          垂直材
１０２、４０１  梁材
２００          枠組み足場
２０１          支柱
１０３、１０４  筋交い材
２０３、４０２  棚板
【要約】
【課題】枠組み足場の一部に使えるコンクリート型枠用の支持フレームを提供する。
【解決手段】本発明は、コンクリートを注入する空間を形成するコンクリート型枠の外側に取り付けられる支持フレームにおいて、支持フレームはコンクリート型枠に取り付けられる垂直材と、垂直材の上部、中間部、下部の内の中間部に、垂直材を基端として水平方向へと途中に可動連結部分を有すること無く伸びている一連の梁材と、梁材の遠位端と垂直材の上部及び下部の位置とをそれぞれ連結する伸縮可能な筋交い材とを有し、筋交い材には空間にコンクリートを注入した際に生じるコンクリート型枠の膨らみ歪を打ち消す張力が予め付与可能で、梁材は遠位端に枠組み足場用の支柱が取り付けられるようになっており、同時に、枠組み足場の作業用足場として使う棚板が直接載置できるようになっていることを特徴とする。これにより、枠組み足場を設ける際に必要な部品数を少なくできる。
【選択図】図１【図１】
0006670416.tif 000002
【図２】
0006670416.tif 000003
【図３】
0006670416.tif 000004
【図４】
0006670416.tif 000005
【図５】
0006670416.tif 000006
【図６】
0006670416.tif 000007
【図７】
0006670416.tif 000008
【図８】
0006670416.tif 000009
【図９】
0006670416.tif 000010
【図１０】
0006670416.tif 000011
【図１１】
0006670416.tif 000012